(57)【要約】      （修正有）【課題】煙などの気中不純物を検出するシステム及び方法を提供する。【解決手段】不純物を検出する検出システム１００は、放射線を放出するエミッタ１１０、チャネル１２０の第１端部１２２でエミッタ１１０からの放射線を受信するようにエミッタ１１０に近接して配置される少なくとも１つのチャネル１２０、及びエミッタ１１０からの放射線を受信するようにチャネルの第２端部１２４に近接して配置されるレシーバ１３０を含み、さらにエミッタ１１０から受信した放射線に対応して第１の信号を生成し、密閉された部屋の中の不純物を検出する。【選択図】図１
2013088434.tif 000002
【特許請求の範囲】
【請求項１】
放射線を放出するエミッタ（１１０）と、
前記チャネル（１２０）の第１端部（１２２）で前記エミッタからの放射線を受信するように前記エミッタに近接して配置される少なくとも１つのチャネル（１２０）と、
前記チャネルの第２端部（１２４）に近接して配置されるレシーバ（１３０）であって、
前記エミッタからの放射線を受信し、
前記エミッタ（１１０）から受信した前記放射線に対応して第１の信号を生成する
レシーバと
を含む密閉された部屋の中の不純物を検出するためのシステム（１００）。
【請求項２】
前記レシーバ（１３０）から前記第１の信号を受信し、
前記第１の信号が部屋（１１５）の中の不純物が閾値を超えていることを示している場合に警告を発する
ように前記レシーバ（１３０）に論理的に連結されている制御モジュール（１４０）をさらに含む、請求項１に記載のシステム。
【請求項３】
前記部屋が輸送機内に定義されたコンパートメントを含み、
前記少なくとも１つのチャネルが前記コンパートメントの表面に沿って延在する、
請求項１に記載のシステム。
【請求項４】
前記コンパートメント（１１５）の表面（１５０）に沿って延在する複数のチャネルと、
前記エミッタからの放射線を前記複数のチャネルへ向かわせる複数のビームスプリッタと、
複数のレシーバであって、
前記エミッタからの放射線を受信し、
前記エミッタから受信した前記放射線に対応して第１の複数の信号を生成する
レシーバと
をさらに含む、請求項３に記載の検出システム。
【請求項５】
前記コンパートメント（１１５）の表面に沿って延在する複数のチャネル（１２０）と、
前記複数のチャネルへ放射線を放出する複数のエミッタと、
複数のレシーバであって、
前記エミッタ（１１０）からの放射線を受信し、
前記エミッタから受信した前記放射線に対応して第１の複数の信号を生成する
レシーバと
をさらに含む、請求項３に記載のシステム。
【請求項６】
前記少なくとも１つのチャネルが前記コンパートメントの表面に組み込まれている、請求項３に記載のシステム。
【請求項７】
前記少なくとも１つのチャネルが前記コンパートメントの表面に取付けられている、請求項３に記載のシステム。
【請求項８】
エミッタ（１１０）から少なくとも１つのチャネルの第１端部へ放射線を放出するステップと、
前記エミッタからの放射線を前記少なくとも１つのチャネルの第２端部のレシーバ（１３０）で受信するステップと、
前記エミッタから受信した前記放射線に対応して第１の信号を生成するステップと
を含む、密閉された部屋（１１５）の中で不純物を検出する方法。
【請求項９】
前記レシーバに連結された制御モジュールで、前記レシーバから前記第１の信号を受信するステップと、
前記第１の信号が前記部屋の中の不純物が閾値を超えていることを示している場合に警告を発するステップと
をさらに含む、請求項８に記載の方法。
【請求項１０】
前記部屋が輸送機内に定義されたコンパートメントを含み、
前記少なくとも１つのチャネルが前記コンパートメントの表面に沿って延在する、
請求項８に記載の方法。
【請求項１１】
前記コンパートメントの表面に沿って延在する複数のチャネル（１２０）と、
前記エミッタからの放射線を前記複数のチャネルへ向かわせる複数のビームスプリッタ（１６０）と、
複数のレシーバ（１３０）であって、
前記エミッタからの放射線を受信し、
前記エミッタから受信した前記放射線に対応して第１の複数の信号を生成する
レシーバと
をさらに含む、請求項１０に記載の方法。
【請求項１２】
前記コンパートメントの表面に沿って延在する複数のチャネルと、
前記複数のチャネルへ放射線を放出する複数のエミッタと、
複数のレシーバであって、
前記エミッタからの放射線を受信し、
前記エミッタから受信した前記放射線に対応して第１の複数の信号を生成する
レシーバと
をさらに含む、請求項１０に記載の方法。
【発明の詳細な説明】
【技術分野】
【０００１】
本明細書に記載されている主題は、気中不純物の検出及び航空機などの輸送機内の気中不純物を検出するためのセンサーシステムに関する。
【背景技術】
【０００２】
検出器は気中不純物の存在を検出するために使用することができる。例として、煙検出器は空気中の煙粒子又はエアロゾルの存在を検出するために使用することができる。航空機などの輸送機内の煙検出は、航空機客室と空調及び気圧管理システムとの間の構成の多様性によって生み出される客室内の空気の乱流によって、特に困難になることがある。したがって、航空機客室などの密閉された部屋の中で気中不純物を検出するシステム及び方法は、有用であろう。
【発明の概要】
【０００３】
一実施形態では、密閉された部屋の中で不純物を検出する検出システムは、放射線を放出するエミッタ、チャネルの第１端部でエミッタからの放射線を受信するようにエミッタに近接して配置される少なくとも１つのチャネル、エミッタからの放射線を受信するようにチャネルの第２端部に近接して配置されるレシーバを含み、エミッタから受信した放射線に対応して第１の信号を生成する。
【０００４】
別の実施形態では、航空機は、少なくとも１つの密閉された部屋を定義する機体と、放射線を放出するエミッタ、チャネルの第１端部でエミッタからの放射線を受信するようにエミッタに近接して配置される少なくとも１つのチャネル、エミッタからの放射線を受信するようにチャネルの第２端部に近接して配置されるレシーバを有して密閉された部屋の中で不純物を検出するシステムとを含み、エミッタから受信した放射線に対応して第１の信号を生成する。
【０００５】
別の実施形態では、密閉された部屋の中で不純物を検出する方法は、エミッタから少なくとも１つのチャネルの第１端部へ放射線を放出するステップ、エミッタからの放射線を少なくとも１つのチャネルの第２端部のレシーバで受信するステップ、及びエミッタから受信した放射線に対応して第１の信号を生成するステップを含む。
【０００６】
さらに、適用の範囲は、本明細書に記述される説明から明らかになるであろう。本明細書の説明及び具体例は例示のみを目的としたものであり、本発明の範囲を限定することを意図していないことを理解されたい。
【０００７】
本発明の教示による方法及びシステムの実施形態は、以下の図面を参照して以下に詳細に説明される。
【図面の簡単な説明】
【０００８】
【図１】実施形態にしたがって気中不純物を検出するシステムのハイレベル概略図である。
【図２Ａ】実施形態にしたがって気中不純物を検出するシステムで使用されるうるチャネルの垂直断面外略図である。
【図２Ｂ】実施形態にしたがって気中不純物を検出するシステムで使用されるうるチャネルの垂直断面外略図である。
【図２Ｃ】実施形態にしたがって気中不純物を検出するシステムで使用されるうるチャネルの垂直断面外略図である。
【図２Ｄ】実施形態にしたがって気中不純物を検出するシステムで使用されるうるチャネルの垂直断面外略図である。
【図２Ｅ】実施形態にしたがって気中不純物を検出するシステムで使用されるうるチャネルの垂直断面外略図である。
【図２Ｆ】実施形態にしたがって気中不純物を検出するシステムで使用されるうるチャネルの垂直断面外略図である。
【図３】実施形態にしたがって気中不純物を検出するシステムの透視概略図である。
【図４】実施形態にしたがって気中不純物を検出するシステムの上面概略図である。
【図５】実施形態にしたがって気中不純物を検出するシステムの上面概略図である。
【図６】実施形態にしたがって計算を行う機器の概略図である。
【図７】実施形態にしたがって気中不純物を検出する方法の操作を示すフロー図である。
【図８】実施形態にしたがった航空機の概略図である。
【発明を実施するための形態】
【０００９】
本明細書に記載されている密閉された部屋の中で、例えば、煙などの気中不純物を検出するシステム及び方法の構成が本明細書に記載されている。ある種の実施形態の具体的な詳細は、このような実施形態を完全に理解するため、以下の説明及び関連の図面に記載されている。しかしながら、当業者であれば、代替的な実施形態が以下の説明に記載されている幾つかの詳細なしで実施されうることを理解するであろう。
【００１０】
本発明は、機能及び／又は論理ブロックコンポーネント及び様々な処理手順の観点から本明細書に記載される。簡潔にするため、データ転送、信号伝達、ネットワーク制御、及びシステムの他の機能的な側面に関連する従来技術については、本明細書では詳細に記述しないことがある。さらに、本明細書に含まれる種々の図に描かれている接続線は、種々の要素間の例示的な機能関連性及び／又は物理的連結を示すことを意図している。実際の実施形態では、多数の代替的或いは追加的な機能関連性又は物理的連結が存在することに注意されたい。
【００１１】
以下の説明では、コンポーネント或いは機能について、「接続された」又は「連結された」又は「結合された」の表現を用いて説明することがある。本明細書で使用されているように、明示的に述べられていない場合には、「接続された」は、１つのコンポーネント／機能が他のコンポーネント／機能と、直接物理的に接触していることを意味する。同様に、明示的に述べられていない場合には、「連結された」又は「結合された」は、１つのコンポーネント／機能が他のコンポーネント／機能と、直接的に又は間接的に結び付けられているが（或いは直接的に又は間接的に通じている）、必ずしも直接物理的に接続されていないことを意味する。したがって、図は要素の例示的な配置を表現しているが、実際の実施形態では、付加的な介在要素、デバイス、機能、又はコンポーネントが存在することがある。
【００１２】
図１は、密閉された部屋の中の不純物を検出するシステム１００の上面概略図である。図１に描かれた実施形態では、システム１００は、放射線を放出する一又は複数のエミッタ１１０、チャネル１２０の第１端部１２２でエミッタ１１０からの放射線を受信するようにエミッタに近接して配置された少なくとも１つのチャネル１２０、及びチャネル１２０の第２端部１２４に近接して配置された一又は複数のレシーバ１３０を含む。レシーバ１３０はエミッタ１１０のからの放射線を受信し、エミッタ１１０から受信した放射線に対応して第１の信号を生成する。制御モジュール１４０は、エミッタ１１０及びレシーバ１３０に連結されうる。
【００１３】
エミッタ１１０は、例えば、発光ダイオード（ＬＥＤ）などの従来の放射線エミッタとして具現化することができる。幾つかの実施形態では、エミッタ１１０は可視スペクトルの放射線、すなわち光を放出する。放射線は、肉眼に対して放射線が単色となるような狭い周波数帯にあってもよい。エミッタ１１０は、そこから放出される放射線を平行にする一又は複数のコリメータ、及び放射線を指向性ビームに集中させる一又は複数のレンズ組立部品を含むことがある。代替的な実施形態では、エミッタ１１０は可視スペクトル外の放射線を放出すること、又は少なくとも白色光として目に見える部分をインコヒーレントな放射線で放出することがある。
【００１４】
レシーバ１３０は、レシーバ１３０の入力装置に入射する放射線レベルを検出するフォトダイオードなどの検出器を含み、放射線のレベルを表わす信号を生成することができる。例として、幾つかの実施形態では、レシーバ１３０は、レシーバ１３０に入射する放射線のレベルに比例する電圧を有する電気信号を生成する。
【００１５】
図１に図解されているシステム１００では、エミッタ１１０及びレシーバ１３０は、システム１００の動作を管理する制御ロジックを含む一又は複数の制御モジュールに連結されている。幾つかの実施形態では、制御モジュール１４０は、一又は複数のプロセッサベースの制御装置として具現化される、或いはこれらの制御装置を含むことがあり、初期化、較正、電源管理、及びデータの監視と収集を含む動作を実施することができる。制御モジュール１４０の各種の構造的及び機能的側面が、以下でより詳細に説明される。
【００１６】
図１に図解されている実施形態では、エミッタ１１０はチャネル１２０でエミッタ１１０からの放射線出力が検出されるように配列され、且つレシーバ１３０はチャネル１２０からの放射線を受信するように配置されている。図１に図解されている実施形態では、チャネル１２０は参照記号Ｌで示される長さを有する。チャネル１２０の具体的な長さＬは本発明では重要ではなく、システム１００が設置される密閉された部屋の大きさの関数となることがある。一般に、長さＬは数インチから数十又は数百フィートまで変動することがある。一般に、チャネル１２０は密閉された部屋の中の乱気流から気中粒子又はエアロゾルを分離し、これによりシステムは、エミッタ１１０とレシーバ１３０との間の環境の気中粒子濃度のより正確且つ安定した読取値を得ることができる。
【００１７】
図２Ａ〜２Ｆは、実施形態にしたがって気中不純物を検出するシステムで使用されうるチャネルの垂直断面概略図である。最初に図２Ａを参照すると、幾つかの実施形態では、チャネル１２０はコンパートメントの表面１５０に一体化することができる。或いは、図２Ｂに図解されているように、チャネル１２０はコンパートメントの表面１５０に取付けることができる。チャネル１２０は、０．２５インチから３．００インチまでの値となる図２Ａ〜２Ｆの参照記号ｗで示される幅、及び０．２５インチから３．００インチまでの値となる深さを有することができる。しかしながら、チャネルの寸法が、チャネル１２０によって定義される体積中の乱気流を減少させ、同時にチャネル１２０内に気中不純物を保持するように定められているとしたならば、当業者はチャネルの具体的な寸法は重要ではないことを認識するであろう。
【００１８】
図２Ｃ〜２Ｄを参照すると、幾つかの実施形態では、チャネル１２０は、コンパートメントからチャネル１２０の中への乱気流を減少させるため、チャネル１２０の側面に従属する一又は複数の縁１２６、１２８を含むことがある。同様に、縁の寸法が、チャネル１２０によって定義される体積中の乱気流を減少させ、同時にチャネル１２０内に気中不純物を保持するように定められているとしたならば、縁の具体的な寸法は重要ではない。幾つかの実施形態では、縁１２６、１２８は０．０６インチから１．００インチまでの値となる。
【００１９】
図２Ａ〜２Ｄに描かれているチャネル１２０はほぼ長方形の断面となっているが、断面の形状の具体的な構成は重要ではない。図２Ｅ及び２Ｆを参照すると、幾つかの実施形態ではチャネル１２０はほぼ半円形の断面になっている。他の断面形状が実装されることもあり、種々の形状のチャネル１２０は図２Ｃ〜２Ｄに描かれているように縁１２６、１２８を含むことがある。
【００２０】
図３は、実施形態にしたがって密閉された部屋１１５の気中不純物を検出するシステム１００の透視概略図である。幾つかの実施形態では、部屋１１５は、航空機や他の輸送機内の貨物室又は客室など、輸送機の密閉されたコンパートメントを含むことがある。図３に描かれている実施形態では、複数のチャネル１２０は、部屋１１５の表面に形成又は取り付けられる。対応する複数のエミッタ１１０は、放射線がチャネル１２０の方向に向くように配置されており、対応する複数のレシーバ１３０はチャネル１２０から放射線を受信するように配置されている。図１に示したように、エミッタ１１０及びレシーバ１３０は、一又は複数の制御モジュール１５０に連結されていてもよい。エミッタ１１０、チャネル１２０、及びレシーバ１３０は、コンパートメント１１５内の気中不純物を監視することができるシステム１００を形成する。点光源での不純物のみを検出できる従来の点光源の監視システムと異なり、システム１００はチャネル１２０の範囲に沿ってどこでも不純物を検出することができる。
【００２１】
幾つかの実施形態では、システム１００はエミッタ１１０とレシーバ１３０との間に１対１の対応が存在するように設計可能である。図４は、エミッタ１１０とレシーバ１３０が１対１に対応する実施形態にしたがった気中不純物検出システムの上面概略図である。
【００２２】
代替的な実施形態では、エミッタ１１０とレシーバ１３０との間が１対ｎの関係になることがある。図５は、エミッタ１１０とレシーバ１３０との間に１対ｎの対応が存在する実施形態にしたがった、気中不純物検出システムの上面概略図である。図５を参照すると、幾つかの実施形態では、エミッタ１１０からの放射線は、一又は複数のビームスプリッタ組立部品１６０を含むチャネル１２０に沿って検出されることがある。ビームスプリッタ組立部品１６０は、ビームスプリッタ組立部品１６０に入射する放射線を、第１レシーバ１３０に向けられている第１コンポーネント、第２レシーバ１３０に向けられている第２コンポーネント、及びビームスプリッタ組立部品１６０を介して転送される第３コンポーネントに分割する。複数のビームスプリッタ組立部品１６０は、複数のレシーバ１３０に放射線を与えるため、チャネル１２０に沿って連続的に配置することができる。
【００２３】
上述のように、エミッタ１１０及びレシーバ１３０は、制御モジュール１４０に連結することができる。幾つかの実施形態では、制御モジュール１４０は汎用コンピューティングシステムに論理モジュールとして実装することができる。ネットワーク化されたコンピュータベースシステムでは、コンピュータシステムのうちの一又は複数は、図６に関連して記述されている制御動作を実施するように適合された制御モジュール１４０を含む。図６は気中不純物の監視に使用することができるコンピューティングシステム６００の概略図である。幾つかの実施形態では、システム６００はコンピューティングデバイス６０８、及びスクリーン６０４を有するディスプレイ６０２を含む一又は複数の付随する入出力デバイス、一又は複数のスピーカー６０６、キーボード６１０、一又は複数の他のＩ／Ｏデバイス６１２、及びマウス６１４を含む。他のＩ／Ｏデバイス６１２は、タッチ式スクリーン、音声入力デバイス、トラックボール、及びシステム６００がユーザーからの入力を受け取ることを可能にする任意の他のデバイスを含みうる。
【００２４】
コンピューティングデバイス６０８は、システムハードウェア６２０及び、ランダムアクセスメモリ及び／又はリードオンリーメモリとして実装可能なメモリ６３０を含む。ファイルストア６８０はコンピューティングデバイス６０８と通信可能に結合することができる。ファイルストア６８０は、例えば、一又は複数のハードドライブ、ＣＤ−ＲＯＭドライブ、ＤＶＤ−ＲＯＭドライブ、又は他の種類の記憶デバイスなど、コンピューティングデバイス６０８の内部にあってもよい。ファイルストア６８０は、例えば、一又は複数の外付けハードドライブ、ネットワーク接続ストレージ、又は分離型ストレージネットワークなど、コンピュータ６０８の外部にあってもよい。
【００２５】
システムハードウェア６２０は、一又は複数のプロセッサ６２２、ビデオコントローラ６２４、ネットワークインターフェース６２６、及びバスストラクチャ６２８を含みうる。一実施形態では、プロセッサ６２２は、インテル社（本社：米国カリフォルニア州サンタクララ）から供給されているＩｎｔｅｌ（登録商標）Ｐｅｎｔｉｕｍ（登録商標）ＩＶとして具現化することができる。本明細書で使用しているように、「プロセッサ」という用語は、例えば、限定しないが、マイクロプロセッサ、マイクロコントローラ、複合命令セット計算（ＣＩＳＣ）マイクロプロセッサ、縮小命令セット（ＲＩＳＣ）マイクロコンピュータ、超長命令語（ＶＬＩＷ）マイクロプロセッサなどの任意の形式の計算要素、又は任意の他の形式のプロセッサ又は処理回路を意味する。
【００２６】
グラフィックコントローラ６２４は、グラフィックス及び／又はビデオ操作を管理する補助プロセッサとして機能することができる。グラフィックコントローラ６２４は、コンピューティングシステム６００のマザーボード上に組み込むこと、又はマザーボード上の拡張スロットを介して連結することができる。
【００２７】
一実施形態では、ネットワークインターフェース６２６は、イーサネット（登録商標）インターフェース（例えば、電気電子技術者協会規格ＩＥＥＥ８０２．３−２００２を参照）、又はＩＥＥＥ８０２．１１ａ，ｂ，ｇ準拠インターフェース（例えば、ＬＡＮ／ＭＡＮシステム間のＩＴ通信及び情報交換のためのＩＥＥＥ規格―第２部：無線ＬＡＮメディアアクセス制御（ＭＡＣ）及び物理層（ＰＨＹ）仕様―追補４：２．４ＧＨｚ帯における高速伝送のための拡張、８０２．１１Ｇ- ２００３）であってもよい。無線インターフェースの他の実施例は、汎用パケット無線サービス（ＧＰＲＳ）インターフェース（例えば、ＧＰＲＳハンドセット要件に関するガイドライン、モバイルコミュニケーションズ／ＧＳＭ（登録商標）協会用グローバルシステム、バージョン３．０．１、２００２年１２月）となることがある。
【００２８】
バスストラクチャ６２８はシステムハードウェア６２８の種々のコンポーネントを接続する。一実施形態では、バスストラクチャ６２８は、メモリバス、周辺機器用バス、又は外部バスを含む幾つかの種類のバスアーキテクチャ、及び／又は１１ビットバス、業界標準アーキテクチャ（ＩＳＡ）、マイクロチャネル・アーキテクチャ（ＭＳＡ）、拡張ＩＳＡ（ＥＩＳＡ）、インテリジェントドライブエレクトロニクス（ＩＤＥ）、ＶＥＳＡローカルバス（ＶＬＢ）、ペリフェラルコンポーネントインターコネクト（ＰＣＩ）、ユニバーサルシリアルバス（ＵＳＢ）、アドバンストグラフィックスポート（ＡＧＰ）、パーソナルコンピュータメモリカード国際協会（ＰＣＭＣＩＡ）バス、およびスモールコンピュータシステムズインターフェース（ＳＣＳＩ）を含むがこれに限定されない、入手可能な任意の種類のバスアーキテクチャを使用するローカルバス、のうちの一又は複数であってもよい。
【００２９】
メモリ６３０は、コンピューティングデバイス６０８の動作を管理するためのオペレーティングシステム６４０を含むことができる。一実施形態では、オペレーティングシステム６４０は、システムハードウェア６２０へのインターフェースを提供するハードウェアインターフェースモジュール６５４を含む。加えて、オペレーティングシステム６４０は、コンピューティングデバイス６０８の動作で使用されるファイルを管理するファイルシステム６５０、及びコンピューティングデバイス６０８上で実行されるプロセスを管理するプロセス制御サブシステム６５２を含むことができる。さらに、メモリモジュール６３０は、図２を参照して説明されている分析操作を実装する評価モジュール６６０を含むことができる。
【００３０】
オペレーティングシステム６４０は、システムハードウェア６２０と連動してリモートソースとの間でデータパケット及び／又はデータストリームを送受信するように動作する一又は複数の通信インターフェースを含むことができる。オペレーティングシステム６４０はさらに、メモリ６３０に常駐するオペレーティングシステム６４０と一又は複数のアプリケーションモジュールとの間のインターフェースを提供するシステムコールインターフェースモジュール６４２を含むことができる。オペレーティングシステム６４０は、ＵＮＩＸ（登録商標）オペレーティングシステムあるいはその派生システム（例えば、ＬＩＮＵＸ（登録商標）、Ｓｏｌａｒｉｓ（登録商標）など）、又はＷｉｎｄｏｗｓ（登録商標）ブランドのオペレーティングシステム、又は他のオペレーティングシステムとして具現化しうる。
【００３１】
一実施形態では、メモリ６３０はシステム１００の動作を管理する制御モジュール１４０を含む。制御モジュール１４０は、コンピュータで読取可能な記憶媒体内にコード化された論理命令を含むことが可能で、この命令がプロセッサ６２２で実行された場合には、プロセッサ６２２はシステム１００を起動し、較正し、管理を行って、密閉された部屋の中の不純物を検出することができる。
【００３２】
図７は実施形態にしたがって気中不純物を検出する方法の操作を示すフロー図である。操作７１０で図７を参照して、較正手続きを実施することができる。幾つかの実施形態では、較正手続きは、密閉された部屋の中の空気が正常な動作状態にあり、部屋の中に気中不純物を発生させる可能性のある火災などの事象が存在しない場合に、システムを起動するステップを含むことがある。エミッタ１１０に対して適切な電力レベルが確立され、レシーバ１３０からの出力信号は収集され、コンピューティングシステム６００に関連するメモリ６３０又はファイルストア６８０などの適切な記憶場所に保存することができる。
【００３３】
システムの較正が行われると、操作のための起動が可能となる。使用中、システム１００は連続的に操作すること、又は間歇的に操作することができる。例えば、システム１００は定期的に起動を行い、起動期間中にデータを収集することができる。どのような動作モードが選択されている場合でも、操作７２０ではエミッタ１１０は起動されており、エミッタ１１０からは放射線が放出される。操作７２５では、レシーバ１３０は放射線を受信し、その受信に対応して信号を生成する。幾つかの実施形態では、レシーバ１３０からの出力信号は受信した放射線に比例する。したがって、密閉された部屋の中の空気が煙などの気中不純物を実質的に含んでいない場合には、レシーバ１３０によって生成される信号は、較正過程で生成される信号とほぼ同等でなければならない。反対に、密閉された部屋１１５の中の空気に気中不純物を発生させる火災又はその他の事象では、気中不純物はレシーバ１３０に作用する放射線レベルを減少させ、その結果レシーバの出力信号を低下させる。
【００３４】
操作７３０ではレシーバデータが収集され、操作７３５ではレシーバデータは較正過程で収集されたデータと比較される。操作７４０で収集されたデータと較正データとの間の差異が閾値を超えない場合には、制御は操作７２５に戻り、気中不純物を監視する通常の動作を継続する。
【００３５】
反対に、操作７４０で差異が閾値を超える場合には、制御は操作７４５に進み警告信号が生成され、その信号は操作７５０でユーザーインターフェース上に表示される。例として、警告信号は視覚ディスプレイ、聴覚ディスプレイ、又はこれらの組合せの上に表示される。
【００３６】
幾つかの実施形態では、システム１００は、飛行機、ヘリコプター、宇宙船などの航空機８００のコンパートメントに組み込まれることがある。代替的な実施形態では、システム１００はトラック、戦車、列車などの陸上輸送機、又は船舶などの水上輸送機に組み込まれることがある。さらなる実施形態では、システム１００は地上通信局に組み込まれることがある。
【００３７】
種々の実施形態が記述されているが、当業者は本発明の範囲を逸脱することなく修正や変更が行われうることを認識するであろう。実施例は種々の実施形態を説明するものであって、本発明を限定することを意図していない。したがって、説明文及び請求項は、適切な先行技術を考慮して、このような制限のみによって解釈されるべきである。代替的な実施形態は以下のようになる
実施形態８．
少なくとも１つの密閉された部屋を定義する機体と、
密閉された部屋の中の不純物を検出するためのシステムと、
放射線を放出するエミッタと、
チャネルの第１端部でエミッタからの放射線を受信するようにエミッタに近接して配置される少なくとも１つのチャネルと
チャネルの第２端部に近接して配置されるレシーバであって、
エミッタからの放射線を受信するステップと
エミッタから受信した放射線に対応して第１の信号を生成する
レシーバと
を有する航空機。
実施形態９．
前記レシーバから前記第１の信号を受信し、
前記第１の信号が部屋の中の不純物が閾値を超えていることを示している場合に警告を発する
ように前記レシーバに論理的に連結されている制御モジュールをさらに含む、実施形態８に記載の航空機。
実施形態１０．
前記部屋が輸送機内に定義されたコンパートメントを含み、
前記少なくとも１つのチャネルが前記コンパートメントの表面に沿って延在する、
実施形態８に記載の航空機。
実施形態１１．
前記コンパートメントの表面に沿って延在する複数のチャネルと、
前記エミッタからの放射線を前記複数のチャネルへ向かわせる複数のビームスプリッタと、
複数のレシーバであって、
前記エミッタからの放射線を受信し、
前記エミッタから受信した前記放射線に対応して第１の複数の信号を生成する
レシーバと
をさらに含む、実施形態１０に記載の航空機。
実施形態１２．
前記コンパートメントの表面に沿って延在する複数のチャネルと、
前記複数のチャネルへ放射線を放出する複数のエミッタと、
複数のレシーバであって、
前記エミッタからの放射線を受信し、
前記エミッタから受信した前記放射線に対応して第１の複数の信号を生成する
レシーバと
をさらに含む、実施形態１０に記載の航空機。
実施形態１３．
前記少なくとも１つのチャネルが前記コンパートメントの表面に組み込まれている、実施形態１０に記載の航空機。
実施形態１４．
前記少なくとも１つのチャネルが前記コンパートメントの表面に取付けられている、実施形態１０に記載の航空機。
【符号の説明】
【００３８】
１００    システム
１１０    エミッタ
１１５    密閉された室
１２０    チャネル
１２２    第１端部
１２４    第２端部
１２６、１２８    縁
１３０    レシーバ
１４０    制御モジュール
１５０    コンパートメント
１６０    ビームスプリッタ組立部品
６００    計算システム
６０２    ディスプレイ
６０４    スクリーン
６０６    スピーカー
６０８    計算デバイス
６１０    キーボード
６１２    他のデバイス
６１４    マウス
６２０    システムハードウェア
６２２    プロセッサ
６２４    グラフィックコントローラ
６２６    ネットワークインターフェース
６２８    バスストラクチャ
６３０    メモリ
６４０    オペレーティングシステム
６４２    システムコールインターフェースモジュール
６４４    通信インターフェース
６６０    ファイルシステム
６６２    プロセス制御サブシステム
６６４    ハードウェアインターフェースモジュール
６８０    ファイルストア
８００    航空機
【図１】
2013088434.tif 000003
【図２Ａ】
2013088434.tif 000004
【図２Ｂ】
2013088434.tif 000005
【図２Ｃ】
2013088434.tif 000006
【図２Ｄ】
2013088434.tif 000007
【図２Ｅ】
2013088434.tif 000008
【図２Ｆ】
2013088434.tif 000009
【図３】
2013088434.tif 000010
【図４】
2013088434.tif 000011
【図５】
2013088434.tif 000012
【図６】
2013088434.tif 000013
【図７】
2013088434.tif 000014
【図８】
2013088434.tif 000015
【外国語明細書】
2013088434000001.pdf
2013088434000002.pdf
2013088434000003.pdf
2013088434000004.pdf